(57)【要約】      （修正有）【課題】企業の国際化等に伴って、車所有者が不定期に海外に転勤し出張するような場合、今後何時使うか分からない車を、インターネット等のコンピュータネットワークを介して取り敢えず販売しておき、再度使用するであろう期限を付して希望の価格で買い戻すことができれば、自己の車を販売したにも拘わらず再度所有することができて便利である。【解決手段】コンピュータネットワークを介して、車を売りたい顧客に対して、その車のメーカ名・車名・型式・年式・色・走行距離・事故歴・修理歴・個別装備品等のデータから算定した査定価格を提示する段階と、買い戻し特約サービス付の顧客の買い戻し希望価格に対応して買取価格を提示する段階とからなる車買取システム。【選択図】図１
2004220463.tif 000002
【特許請求の範囲】
【請求項１】
コンピュータネットワークを介して、車を売りたい顧客に対して、その車のメーカ名・車名・型式・年式・色・走行距離・事故歴・修理歴・個別装備品等のデータから算定した査定価格を提示する段階と、買い戻し特約サービス付の買取価格を顧客の買い戻し希望価格に対応して買取価格を提示する段階とからなる車買取システム。
【請求項２】
請求項１に記載の車買取システムにおいて、買い戻し特約に、買い戻し契約期間内に買い戻しがない場合に、その車を販売した価格が、買取価格を一定額を超えて上回る場合には、その上回り価格の一部を顧客に返却する条項が含まれている車買取システム。
【請求項３】
請求項１又は２に記載の車買取システムにおいて、買い戻し特約に、買い戻し契約期間内において、その車の不使用保管条項が含まれている車買取システム。
【請求項４】
請求項３に記載の車買取システムにおいて、買い戻し契約期間内において、その車の保管情報をインターネットを介して随時顧客に提示する保管情報を提供する車買取システム。
【請求項５】
請求項４の車買取システムにおいて、保管情報が、その車に装着した車両管理番号、所有者証明、現在時表示からなる車買取システム。
【請求項６】
請求項１乃至５のいずれかに記載の車買取システムにおいて、査定価格を提示する段階において、その車の外観・エンジン音等の実際に観察した査定価格を提示する段階を付加してなる車買取システム。
【発明の詳細な説明】
【０００１】
【発明の属する技術分野】
本発明は、インターネット等のコンピュータネットワークによる車買取システムに関する。
【０００２】
【従来の技術】
従来、コンピュータネットワークを介して中古車販売会社に車を担保として融資する車融資システムにおいて、車の車名、型式、色、装備の内容、走行距離等から、車を担保として融資することができる金銭を査定する手段は知られている（特許文献１参照）。
また、車に係わるサービス提供システムにおいて、車の所有者に車に係わる各種のサービスの代金を一元化するために、各サービス料金の顧客の支払合計金額を算出する手段も知られている（特許文献２参照）。
【０００３】
【特許文献１】特開２００１−３０６８０５号公報
【特許文献２】特開２００２−１５１７４号公報
【０００４】
【発明が解決しようとする課題】
企業の国際化等に伴って、車所有者が不定期に海外に転勤し出張するような場合、今後何時使うか分からない車を、インターネット等のコンピュータネットワークを介して取り敢えず販売しておき、再度使用するであろう期限を付して希望の価格で買い戻すことができれば、自己の車を販売したにも拘わらず再度所有することができて便利である。その場合、買い戻し価格が、車の実質価格を下回るようなときには、その差額が戻されれば更に安心して販売することができる。また、買い戻し可能期間中に、自分の販売した車が他人に使用されなければ、なお、安心して販売することができる。その場合、自分の販売した車が確かに保管されていることを随時に観察して確認することができれば、より安心である。
【０００５】
【課題を解決するための手段】
そこで、本発明は、コンピュータネットワークを介して、車を販売したい顧客に対して、その車のメーカ名・車名・型式・年式・色・走行距離・事故歴・修理歴・個別装備品等のデータから算定した査定価格を提示する段階と、買い戻し特約サービス付の買取価格を顧客の買い戻し希望価格に対応して買取価格を提示する段階とからなる車買取システムを提供するものである。
【０００６】
本発明によれば、コンピュータネットワークを介して、車を販売したい顧客に、自己申告されたその車のメーカ名・車名・型式・年式・色・走行距離・事故歴・修理歴・個別装備品等のデータから算定した査定価格を提示することにより、顧客に自己の車の価格を知らせることができると共に、顧客が買い戻し特約サービスを受けたい場合に、顧客の買い戻し希望価格に対応した買取価格を提示することにより、顧客は自己の状況に応じた希望に合った条件で車を販売することができる。
【０００７】
具体的には、例えば、販売システムが１台の車の買取により実質的なサービス料金を１０万円必要とする場合、査定価格が１００万円で、顧客の買い戻し希望価格が１００万円であれば、買取価格は９０万円となる。同じ条件で、顧客の買い戻し希望価格が５０万円であれば、買取価格は４０万円となる。なお、顧客の買い戻し希望価格が査定価格を超える場合は現実にはあり得ないが、１５０万円であれば、買取価格は、９０万円となる。
【０００８】
また、本発明は、請求項２に記載のように、請求項１に記載の車買取システムにおいて、買い戻し特約に、買い戻し契約期間内に買い戻しがない場合に、その車を販売した価格が、買取価格を一定額を越えて上回る場合には、その上回り価格の一部を顧客に返却する条項が含まれている車買取システムを提供するものである。
本発明によれば、買い戻し契約期間内に買い戻しがない場合に、その車を販売した価格が、買取価格を一定額を越えて上回る場合には、その上回り価格の一部を顧客に返却することから、顧客の買い戻し価格に対応した買取価格が実勢価格を大きく上回る場合であっても、顧客はその差額を補填されるから安心して販売することができる。
【０００９】
また、本発明は、請求項３に記載のように、請求項１又は２に記載の車買取システムにおいて、買い戻し特約に、買い戻し契約期間内において、その車の不使用保管条項が含まれている車買取システムを提供するものである。
本発明によれば、買い戻し契約期間中に、自分の販売した車が他人に使用されないから、安心して販売することができる。
【００１０】
また、本発明は、請求項４に記載のように、請求項１、２又は３に記載の車買取システムにおいて、買い戻し契約期間内において、その車の保管情報をインターネットを介して随時顧客に提示する保管情報を提供する車買取システムを提供するものである。
本発明によれば、買い戻し契約期間中に、自分の販売した車が確かに保管されていることを随時に観察して確認することができる。
【００１１】
また、本発明は、請求項５に記載のように、請求項４の車買取システムにおいて、保管情報が、その車に装着した車両管理番号、所有者証明、現在時表示からなる車買取システムを提供するものである。
本発明によれば、インターネット等を介して随時に顧客は自己の販売した車に装着した車両管理番号、所有者証明、現在時表示から、その保管状況を確認することができる。
【００１２】
また、本発明は、請求項６に記載のように、請求項１乃至５のいずれかに記載の車買取システムにおいて、査定価格を提示する段階において、その車の外観・エンジン音等の実際に観察した査定価格を提示する段階を付加してなる車買取システムを提供するものである。
本発明によれば、顧客が販売したい車のビデオカメラ、録音機等による実際の観察情報をインターネット等を介して受信し、診断し、査定価格に反映させることができる。
【００１３】
【発明の実施の形態】
以下図示する実施例により本発明の実施の形態を説明する。
図１において、１は本発明に係る車販売システムの本部サーバー、２はインターネット１０を介して本部サーバー１に接続可能な顧客の端末である。
図２のステップ１において、インターネット１０により、車を販売したい顧客の端末２から、その車のメーカ名・車名・型式・年式・色・走行距離・事故歴・修理歴・個別装備品等のデータを入力を受けると、本部サーバー１は、ステップ２において、査定データベース３によりそのデータを分析して算定した査定価格を顧客の端末２に提示する。
【００１４】
このステップ２の査定段階で、顧客２又は本部サーバー１の要請により、更に正確なデータを必要とする場合等には、顧客にその車をフランチャイザーの所まで運んでもらい、フランチャイザー端末４から、車のデータをインターネット１０を介して本部サーバー１に送信することができると共に、フランチャイザーが常備するビデオカメラ、録音機等による実際の車の観察情報を、簡単にインターネット等を介して本部サーバーに送信し、より確実に診断し、査定価格に反映させることができる。
【００１５】
顧客が査定価格に満足し、ステップ３に記載のように、販売希望をその端末２，４から入力すると、本部サーバー１の契約情報データベース５との間で、顧客の国籍、住所氏名、クレジットカード、パスポート、運転免許証内容等の顧客確認情報の登録が行われた後、ステップ４に記載のように、販売後の一定期間内に買い戻すことができる買い戻し特約案内が提示され、そのとき、本発明システムとしての買取価格を提示するのであるが、ステップ５に記載のように、買い戻し契約期間内に買い戻しが行われない場合に、その車を顧客以外に販売した価格が、その買取価格を一定額を越えて上回る場合には、その上回り価格の一部を顧客に返却する条項が含まれていること、或いは、買い戻し契約期間内に、その車を他人に使用させることなく保管する条項が含まれていること、保管した状況を随時インターネットを介して顧客に提供するサービス条項が含まれていること等を案内することができる。
【００１６】
図２の実施例の場合、ステップ４，５において、顧客が買い戻し契約に合意すると、買い戻し希望価格の入力又は選択がステップ６で行われ、ステップ７において、買取価格が提示され、満足すれば買い戻し特約付の販売契約は完了し、次のステップに移行するが、買取価格を変更したい場合には、ステップ６に戻して買い戻し希望価格を変更することによって買取価格を設定し直すことが可能である。
なお、この場合、ステップ６の買い戻し希望価格入力段階において、その車の実勢価格である査定価格と、買い戻し希望価格と、買取価格との一覧表示を提示して、顧客に買取価格に対応した買い戻し希望価格を選択することができるようにすることが好ましい。
【００１７】
顧客との買い戻し特約条項付の買取契約が完了すると、その車には、図３に記載のように、車両管理番号２１、所有者署名欄のような所有者証明２２、現在時表示２３等からなる保管情報２０が付され、最寄りのフランチャイザーを介して保管場所に収納され、その保管情報は、保管場所に設けたデジタルカメラ等により車を含めて監視され、その監視情報は保管場所端末６からインターネット１０を介して、本部サーバー１の管理情報データベース７に伝達され、その監視情報は、インターネット１０を介して随時に顧客、フランチャイザーの端末２，４から観察することができる。
【００１８】
図２の実施例において、ステップ８では、買い戻し特約条項付の買取契約後に、保管情報サービス案内を行い、管理情報データベース７により、同意によって、ステップ９の保管情報の提供が行われる。
図２において、ステップ１０は、買い戻し期間が切れたことを顧客及びフランチャイザーの端末２，４にインターネットを介して伝達する段階を示し、その後に、図では省略したが、その車を、例えば、インターネット１０を介したオークション販売等により、顧客以外の者に販売した場合、ステップ１１において、その販売価格を顧客の端末２に提示し、その販売価格と前記本システムの買取価格との差額の一部を返却する段階に至り、本システムは完了する。
なお、販売価格と前記本システムの買取価格との差額に対する一部返却額とは、ステップ４の買い戻し特約案内段階で、顧客に提示しておくことも可能である。
【００１９】
【発明の効果】
以上の通り、本発明に係る車買取システムによれば、コンピュータネットワークを介して、車を販売したい顧客に対して、その車のメーカ名・車名・型式・年式・色・走行距離・事故歴・修理歴・個別装備品等のデータから算定した査定価格を提示する段階と、買い戻し特約サービス付の買取価格を顧客の買い戻し希望価格に対応して買取価格を提示する段階とからなる構成を有することにより、コンピュータネットワークを介して、車を販売したい顧客に、自己申告されたその車のメーカ名・車名・型式・年式・色・走行距離・事故歴・修理歴・個別装備品等のデータから算定した査定価格を提示することにより、顧客に自己の車の価格を知らせることができると共に、顧客が買い戻し特約サービスを受けたい場合に、顧客の買い戻し希望価格に対応した買取価格を提示することにより、顧客は自己の状況に応じた希望に合った条件で車を販売することができる効果がある。
【００２０】
また、本発明は、請求項２に記載のように、請求項１に記載の車買取システムにおいて、買い戻し特約に、買い戻し契約期間内に買い戻しがない場合に、その車を販売した価格が、買取価格を一定額を越えて上回る場合には、その上回り価格の一部を顧客に返却する条項が含まれている構成を有することにより、買い戻し契約期間内に買い戻しがない場合に、その車を販売した価格が、買取価格を一定額を越えて上回る場合には、その上回り価格の一部を顧客に返却することから、顧客の買い戻し価格に対応した買取価格が実勢価格を大きく上回る場合であっても、顧客はその差額を補填されるから安心して販売することができる効果がある。
【００２１】
また、本発明は、請求項３に記載のように、請求項１又は２に記載の車買取システムにおいて、買い戻し特約に、買い戻し契約期間内において、その車の不使用保管条項が含まれている構成を有することにより、買い戻し契約期間中に、自分の販売した車が他人に使用されないから、安心して販売することができる効果がある。
【００２２】
また、本発明は、請求項４に記載のように、請求項１、２又は３に記載の車買取システムにおいて、買い戻し契約期間内において、その車の保管情報をインターネットを介して随時顧客に提示する保管情報を提供する構成を有することにより、買い戻し契約期間中に、自分の販売した車が確かに保管されていることを随時に観察して確認することができる効果がある。
【００２３】
また、本発明は、請求項５に記載のように、請求項４の車買取システムにおいて、保管情報が、その車に装着した車両管理番号、所有者証明、現在時表示からなる構成を有することにより、インターネット等を介して随時に顧客は自己の販売した車に装着した車両管理番号、所有者証明、現在時表示から、その保管状況を確認することができる効果がある。
【００２４】
また、本発明は、請求項６に記載のように、請求項１乃至５のいずれかに記載の車買取システムにおいて、査定価格を提示する段階において、その車の外観・エンジン音等の実際に観察した査定価格を提示する段階を付加してなる構成を有することにより、顧客が販売したい車のビデオカメラ、録音機等による実際の観察情報をインターネット等を介して受信し、診断し、査定価格に反映させることができる効果がある。
【図面の簡単な説明】
【図１】本発明システムの一実施例の全体構成図。
【図２】本発明システムの一実施例のフローチャート。
【図３】本発明の管理情報提示手段の一実施例を示す説明図。
【符号の説明】
１      本部サーバー
２      顧客の端末
３      査定データベース
４      フランチャイザー端末
５      契約情報データベース
６      保管場所端末
７      保管情報データベース
１０    インターネット
２０    保管情報
【図１】
2004220463.tif 000003
【図２】
2004220463.tif 000004
【図３】
2004220463.tif 000005